(57)【特許請求の範囲】
【請求項１】
デジタル放送波を受信して復調するチューナユニットと、
前記受信された信号がエラー訂正可能な信号かどうか調査し、エラー訂正可能ならエラー訂正を行う誤り訂正回路と、
前記エラー訂正された受信信号のビットストリームが暗号化されている場合、前記受信信号のスクランブル解除を行うスクランブル信号解除回路と、
前記スクランブル解除されたビットストリームに対しデコード処理し映像音声出力を行う映像音声デコード回路と、
前記ビットストリームを記録する大容量記憶装置と、
前記誤り訂正回路と前記映像音声デコード回路との間の経路を切替える切替回路と、
前記切替回路は、
前記エラー訂正可能な信号を前記スクランブル信号解除回路に取込むための第１の切替回路と、
前記スクランブル解除されたビットストリームを前記映像音声デコード回路に送出させる第２の切替回路と、
前記大容量記憶装置に記憶されているビットストリームを前記映像音声デコード回路に送出させる第３の切替回路とを備え、
前記復調が不可能であったり、誤り訂正が不可能であったり、前記スクランブルの解除が不可能であったりする場合、前記第３の切替回路を切替えて前記大容量記憶装置からのビットストリームを送出させる制御装置とを備えることを特徴とするデジタル放送視聴装置。
【請求項２】
前記制御装置には、現在放映している番組が視聴予定にあるか否かを管理する番組管理テーブルが接続されており、前記制御装置は、前記番組管理テーブルを参照し、現在放映している番組が視聴予定にある場合、前記第２の切替回路を切替えて前記スクランブル解除されたビットストリームを前記映像音声デコード回路に送出させるとともに、前記視聴予定でない場合、前記第３の切替回路を切替えて前記大容量記憶装置からのビットストリームを送出させることを特徴とする請求項１に記載のデジタル放送視聴装置。
【請求項３】
チューナユニットによりデジタル放送波を受信して復調する第１の工程と、
誤り訂正回路により、前記受信された信号がエラー訂正可能な信号かどうか調査し、エラー訂正可能ならエラー訂正を行う第２の工程と、
前記エラー訂正された受信信号のビットストリームが暗号化されている場合、スクランブル信号解除回路により、前記受信信号のスクランブル解除を行う第３の工程と、
映像音声デコード回路により、前記スクランブル解除されたビットストリームに対しデコード処理し映像音声出力を行う第４の工程と、
大容量記憶装置により前記ビットストリームを記録する第５の工程と、
切替回路により、前記誤り訂正回路と前記映像音声デコード回路との間の経路を切替える第６の工程と、
前記第６の工程には、
第１の切替回路により、前記エラー訂正可能な信号を前記スクランブル信号解除回路に取込む第７の工程と、
第２の切替回路により、前記スクランブル解除されたビットストリームを前記映像音声デコード回路に送出させる第８の工程と、
第３の切替回路により、前記大容量記憶装置に記憶されているビットストリームを前記映像音声デコード回路に送出させる第９の工程とが含まれ、
前記復調が不可能であったり、誤り訂正が不可能であったり、前記スクランブルの解除が不可能であったりする場合、前記第３の切替回路を切替えて前記大容量記憶装置からのビットストリームを送出させる第１０の工程とを備えることを特徴とするデジタル放送視聴方法。
【請求項４】
前記第１０の工程には、
現在放映している番組が視聴予定にあるか否かを番組管理テーブルを参照して判断し、現在放映している番組が視聴予定にある場合、前記第２の切替回路を切替えて前記スクランブル解除されたビットストリームを前記映像音声デコード回路に送出させる第１１の工程と、
前記視聴予定でない場合、前記第３の切替回路を切替えて前記大容量記憶装置からのビットストリームを送出させる第１２の工程とが含まれることを特徴とする請求項３に記載のデジタル放送視聴方法。
【発明の詳細な説明】
【０００１】
【発明の属する技術分野】
本発明は、デジタル放送の視聴に適したデジタル放送視聴装置及びデジタル放送視聴方法に関する。
【０００２】
【従来の技術】
現在のデジタル放送として、たとえば通信衛星（以下、ＣＳ）を利用したＣＳデジタル多チャンネル放送が運用されている。
【０００３】
このＣＳデジタル多チャンネル放送は、ＭＰＥＧ２規格に基づいた符号化圧縮技術とデータ多重化技術とを利用することで、一つのＣＳに搭載されている複数のトランスポンダのそれぞれに割当てられている一つの伝送チャンネルに複数の編成チャンネルで放送される番組を時間軸多重して送信するものである。
【０００４】
これにより、一つのＣＳでラジオ番組とＴＶ番組をそれぞれ１００編成チャンネル以上放送することができる。
【０００５】
【発明が解決しようとする課題】
ところで、上述したデジタル放送を受信するデジタル放送視聴装置においては、デジタル放送波が受信されない状態やスクランブル信号が解除されない状態のとき、画面に文字を表示する機能を有している。
【０００６】
ところが、このように文字が表示される場合、単調な画面となるため、視聴者はリモコン等を利用して手動で画面を切替える必要があった。
【０００７】
本発明は、このような状況に鑑みてなされたものであり、デジタル放送波が受信されない状態やスクランブル信号が解除されない状態のとき、自動的に大容量記憶装置に蓄えられている映像を表示することができるデジタル放送視聴装置及びデジタル放送視聴方法を提供することができるようにするものである。
【０００８】
【課題を解決するための手段】
請求項１に記載のデジタル放送視聴装置は、デジタル放送波を受信して復調するチューナユニットと、前記受信された信号がエラー訂正可能な信号かどうか調査し、エラー訂正可能ならエラー訂正を行う誤り訂正回路と、前記エラー訂正された受信信号のビットストリームが暗号化されている場合、前記受信信号のスクランブル解除を行うスクランブル信号解除回路と、前記スクランブル解除されたビットストリームに対しデコード処理し映像音声出力を行う映像音声デコード回路と、前記ビットストリームを記録する大容量記憶装置と、前記誤り訂正回路と前記映像音声デコード回路との間の経路を切替える切替回路と、前記切替回路は、前記エラー訂正可能な信号を前記スクランブル信号解除回路に取込むための第１の切替回路と、前記スクランブル解除されたビットストリームを前記映像音声デコード回路に送出させる第２の切替回路と、前記大容量記憶装置に記憶されているビットストリームを前記映像音声デコード回路に送出させる第３の切替回路とを備え、前記復調が不可能であったり、誤り訂正が不可能であったり、前記スクランブルの解除が不可能であったりする場合、前記第３の切替回路を切替えて前記大容量記憶装置からのビットストリームを送出させる制御装置とを備えることを特徴とする。また、制御装置には、現在放映している番組が視聴予定にあるか否かを管理する番組管理テーブルが接続されており、制御装置は、番組管理テーブルを参照し、現在放映している番組が視聴予定にある場合、第２の切替回路を切替えてスクランブル解除されたビットストリームを映像音声デコード回路に送出させるとともに、視聴予定でない場合、第３の切替回路を切替えて大容量記憶装置からのビットストリームを送出させるようにすることができる。請求項３に記載のデジタル放送視聴方法は、チューナユニットによりデジタル放送波を受信して復調する第１の工程と、誤り訂正回路により、前記受信された信号がエラー訂正可能な信号かどうか調査し、エラー訂正可能ならエラー訂正を行う第２の工程と、前記エラー訂正された受信信号のビットストリームが暗号化されている場合、スクランブル信号解除回路により、前記受信信号のスクランブル解除を行う第３の工程と、映像音声デコード回路により、前記スクランブル解除されたビットストリームに対しデコード処理し映像音声出力を行う第４の工程と、大容量記憶装置により前記ビットストリームを記録する第５の工程と、切替回路により、前記誤り訂正回路と前記映像音声デコード回路との間の経路を切替える第６の工程と、前記第６の工程には、第１の切替回路により、前記エラー訂正可能な信号を前記スクランブル信号解除回路に取込む第７の工程と、第２の切替回路により、前記スクランブル解除されたビットストリームを前記映像音声デコード回路に送出させる第８の工程と、第３の切替回路により、前記大容量記憶装置に記憶されているビットストリームを前記映像音声デコード回路に送出させる第９の工程とが含まれ、前記復調が不可能であったり、誤り訂正が不可能であったり、前記スクランブルの解除が不可能であったりする場合、前記第３の切替回路を切替えて前記大容量記憶装置からのビットストリームを送出させる第１０の工程とを備えることを特徴とする。また、第１０の工程には、現在放映している番組が視聴予定にあるか否かを番組管理テーブルを参照して判断し、現在放映している番組が視聴予定にある場合、第２の切替回路を切替えてスクランブル解除されたビットストリームを映像音声デコード回路に送出させる第１１の工程と、視聴予定でない場合、第３の切替回路を切替えて大容量記憶装置からのビットストリームを送出させる第１２の工程とが含まれるようにすることができる。
【０００９】
【発明の実施の形態】
以下、本発明の実施の形態について説明する。
【００１０】
（第１の実施の形態）
図１は、本発明のデジタル放送視聴装置の第１の実施の形態を示すブロック図、図２は、図１のデジタル放送視聴装置の動作を説明するためのフローチャートである。
【００１１】
図１に示すデジタル放送視聴装置は、チューナユニット１、誤り訂正回路２、スクランブル信号解除回路３、制御装置４、切替回路５ａ〜５ｃ、映像音声デコード回路６及び大容量記憶装置７を備えている。
【００１２】
チューナユニット１は、デジタル放送波を受信して復調する。誤り訂正回路２は、受信信号がエラー訂正可能な信号かどうか調査し、エラー訂正可能ならエラー訂正を行う。ここで、エラー訂正された受信信号のビットストリームが暗号化されている場合、その受信信号はスクランブル信号解除回路３に送られる。これに対し、エラー訂正されたビットストリームが暗号化されていない場合、その受信信号は映像音声デコード回路６に送られる。
【００１３】
スクランブル信号解除回路３は、エラー訂正されたビットストリームが暗号化されている場合、解除可能ならばスクランブル信号を解除する。
【００１４】
制御装置４は、チューナユニット１、誤り訂正回路２及びスクランブル信号解除回路３からの信号を受取り、切替回路５ａ〜５ｃを操作する。
【００１５】
ここで、切替回路５ａは、エラー訂正可能な受信信号をスクランブル信号解除回路３に取込むための第１の切替回路である。切替回路５ｂは、スクランブル解除されたビットストリームを映像音声デコード回路６に送出させる第２の切替回路である。切替回路５ｃは、大容量記憶装置７に記憶されているビットストリームを映像音声デコード回路６に送出させる第３の切替回路である。
【００１６】
映像音声デコード回路６は、デコード可能な状態のビットストリームを受取り、映像・音声を復号化して出力する。大容量記憶装置７は、ビットストリームを記録する。
【００１７】
次に、このような構成のデジタル放送視聴装置の動作について説明する。
【００１８】
まず、図２に示すように、チューナユニット１によりデジタル放送波が受信されると（ステップＡ１）、受信したデジタル放送波の復調が可能であるか否かが判断される（ステップＡ２）。このとき、デジタル放送波が受信されない場合、チューナユニット１はその旨を制御装置４に通知する。
【００１９】
復調が可能である場合、復調された信号が誤り訂正回路２に送られる。誤り訂正回路２は、受信信号がエラー訂正可能な信号かどうか調査し（ステップＡ３）、エラー訂正可能ならエラー訂正を行う。エラーが訂正できない場合、誤り訂正回路２はその旨を制御装置４に通知する。
【００２０】
次に、ビットストリームが暗号化されているか否かが判断され（ステップＡ４）、暗号化されている場合、スクランブル信号解除回路３によってスクランブル解除可能であるか否かが判断される（ステップＡ５）。
【００２１】
スクランブル解除可能である場合、スクランブル信号解除回路３によってスクランブルの解除が行われる。スクランブルの解除が行えない場合、スクランブル信号解除回路３がその旨を制御装置４に通知する。
【００２２】
そして、スクランブルの解除された受信信号は、映像音声デコード回路６によってデコード処理される（ステップＡ７）。
【００２３】
ここで、（ステップＡ２，Ａ３，Ａ５）において、復調が不可能であったり、誤り訂正が不可能であったり、スクランブルの解除が不可能であったりする場合、制御装置４は大容量記憶装置７からビットストリームを送出するよう指示する（ステップＡ６）。
【００２４】
この場合、制御装置４は切替回路５ａ〜５ｃを切替えることで、大容量記憶装置７から映像音声デコード回路６にビットストリームが送られ、デコード処理される（ステップＡ７）。
【００２５】
このように、第１の実施の形態では、チューナユニット１によりデジタル放送波を受信して復調し、誤り訂正回路２により受信された信号がエラー訂正可能な信号かどうか調査し、エラー訂正可能ならエラー訂正を行い、スクランブル信号解除回路３によりエラー訂正された受信信号のビットストリームが暗号化されている場合、受信信号のスクランブル解除を行い、映像音声デコード回路６によりスクランブル解除されたビットストリームに対しデコード処理し、大容量記憶装置７によりビットストリームを記録するとともに、制御装置４によりチューナユニット１、誤り訂正回路２及びスクランブル信号解除回路３の動作状況に応じて切替回路５ａ〜５ｃの切替えを行うようにしたので、デジタル放送波が受信されない状態やスクランブル信号が解除されない状態のとき、自動的に大容量記憶装置７に蓄えられている映像を表示することができる。
【００２６】
また、自動的に大容量記憶装置７に蓄えられている映像を表示することができるので、受信装置が動作中であることの判断が容易となり、受信装置の付け忘れを防止することもできる。
【００２７】
（第２の実施の形態）
図３は、本発明のデジタル放送視聴装置の第２の実施の形態を示すブロック図、図４は、図３のデジタル放送視聴装置の動作を説明するためのフローチャートである。なお、以下に説明する図において、図１と共通する部分には同一符号を付し重複する説明を省略する。
【００２８】
図３に示すデジタル放送視聴装置は、制御装置４に接続された番組管理テーブル４１を備えている。
【００２９】
番組管理テーブル４１には、放送する番組一覧（番組表）と視聴者が視聴する予定の番組とが記録されている。
【００３０】
次に、このような構成のデジタル放送視聴装置の動作について説明する。
【００３１】
まず、図４に示すように、チューナユニット１によりデジタル放送波が受信されると（ステップＢ１）、受信したデジタル放送波の復調が可能であるか否かが判断される（ステップＢ２）。このとき、デジタル放送波が受信されない場合、チューナユニット１はその旨を制御装置４に通知する。
【００３２】
復調が可能である場合、復調された信号が誤り訂正回路２に送られる。誤り訂正回路２は、受信信号がエラー訂正可能な信号かどうか調査し（ステップＢ３）、エラー訂正可能ならエラー訂正を行う。エラーが訂正できない場合、誤り訂正回路２はその旨を制御装置４に通知する。
【００３３】
次に、ビットストリームが暗号化されているか否かが判断され（ステップＢ４）、暗号化されている場合、スクランブル信号解除回路３によってスクランブル解除可能であるか否かが判断される（ステップＢ５）。
【００３４】
スクランブル解除可能である場合、スクランブル信号解除回路３によってスクランブルの解除が行われる。スクランブルの解除が行えない場合、スクランブル信号解除回路３がその旨を制御装置４に通知する。
【００３５】
ここで、スクランブル解除可能である場合、制御装置４は、番組管理テーブル４１を参照し、現在放映している番組が視聴予定にあるものかどうか判断し（ステップＢ８）、視聴予定である場合、スクランブルの解除された受信信号は、映像音声デコード回路６によってデコード処理される（ステップＢ７）。
【００３６】
ここで、（ステップＢ２，Ｂ３，Ｂ５，Ｂ８）において、復調が不可能であったり、誤り訂正が不可能であったり、スクランブルの解除が不可能であったり、視聴予定でなかったりする場合、制御装置４は大容量記憶装置７からビットストリームを送出するよう指示する（ステップＢ６）。
【００３７】
この場合、制御装置４は切替回路５ａ〜５ｃを切替えることで、大容量記憶装置７から映像音声デコード回路６にビットストリームが送られ、デコード処理される（ステップＢ７）。
【００３８】
このように、第２の実施の形態では、制御装置４が現在放映している番組が視聴予定にあるか否かを番組管理テーブル４１を参照して判断し、現在放映している番組が視聴予定にある場合、切替回路５ｂを切替えてスクランブル解除されたビットストリームを映像音声デコード回路に送出させるとともに、視聴予定でない場合、切替回路５ｃを切替えて大容量記憶装置７からのビットストリームを送出させるようにしたので、操作性の向上を図ることができる。
【００３９】
【発明の効果】
以上の如く本発明に係るデジタル放送視聴装置及びデジタル放送視聴方法によれば、チューナユニットによりデジタル放送波を受信して復調し、誤り訂正回路により受信された信号がエラー訂正可能な信号かどうか調査し、エラー訂正可能ならエラー訂正を行い、スクランブル信号解除回路によりエラー訂正された受信信号のビットストリームが暗号化されている場合、受信信号のスクランブル解除を行い、映像音声デコード回路によりスクランブル解除されたビットストリームに対しデコード処理し、大容量記憶装置によりビットストリームを記録するとともに、制御装置によりチューナユニット、誤り訂正回路及びスクランブル信号解除回路の動作状況に応じて切替回路の切替えを行うようにしたので、デジタル放送波が受信されない状態やスクランブル信号が解除されない状態のとき、自動的に大容量記憶装置に蓄えられている映像を表示することができる。
【図面の簡単な説明】
【図１】本発明のデジタル放送視聴装置の第１の実施の形態を示すブロック図である。
【図２】図１のデジタル放送視聴装置の動作を説明するためのフローチャートである。
【図３】本発明のデジタル放送視聴装置の第２の実施の形態を示すブロック図である。
【図４】図３のデジタル放送視聴装置の動作を説明するためのフローチャートである。
【符号の説明】
１  チューナユニット
２  誤り訂正回路
３  スクランブル信号解除回路
４  制御装置
５ａ〜５ｃ  切替回路
６  映像音声デコード回路
７  大容量記憶装置
４１  番組管理テーブル
【図１】
0004313908.tif 000002
【図２】
0004313908.tif 000003
【図３】
0004313908.tif 000004
【図４】
0004313908.tif 000005